Podtech/llm-jp-corpus-v4-ja_patent huggingface dataset:
(57)【要約】      （修正有）【課題】積雪寒冷地に於ける路面において発生する氷を、作業者の体力負担を軽減し、簡単な操作で、安全に破砕する。【解決手段】棒の先端部２を約３０度から６０度に屈曲させ、他端側一部を前記先端が屈曲する内側に約７５度から１０５度に折り曲げ、前記屈曲する先端部には着脱自在な結合手段により固定する氷割りピン１を設け、前記他端側折り曲げ部分に滑り止め４を施す、氷を破砕する用具。【選択図】図１
0003104084.tif 000002
【実用新案登録請求の範囲】
【請求項１】
棒の先端部を約３０度から６０度に屈曲させ、他端側一部を前記先端が屈曲する内側に約７５度から１０５度に折り曲げ、前記屈曲する先端部には着脱自在な結合手段により固定する氷割りピンを設け、前記他端側折り曲げ部分に滑り止めを施す、氷を破砕する用具。
【考案の詳細な説明】
【技術分野】
【０００１】積雪寒冷地に於ける路面凍結による、歩行者の転倒を予防する氷破砕用具に関する物。
【背景技術】
【０００２】従来の用具として、図３に示す通称ツルハシを用い木製の持ち手３ａの先に鉄製の長くとがった破砕部３ｂを有する用具で、全身を使い頭上に振り上げ路面に振り下ろし氷を破砕する作業であり、腕，肩、腰に負担が掛かり筋肉痛など作業者の体力負担が大きいという問題が有った。
【特許文献１】実開平５−１６１６３号広報
【特許文献２】実開昭６２−１６７０７０号広報
【特許文献３】実開昭６４−１２１６７号広報
【考案の開示】
【考案が解決しようとする課題】
【０００３】積雪寒冷地に於ける路面において発生する氷を、作業者の体力負担を軽減し、簡単な操作で、安全に破砕する。
【課題を解決するための手段】
【０００４】棒の先端部に氷割りピンを結合し、先端部を約４５度に屈曲させ、棒の端部を、約９０度に折り曲げ、折り曲げた部分に滑り止め材を取り付け、手で握り、氷割りピン先端を、氷に突き押し当てる事により、氷を破砕する用具。
【考案の効果】
【０００５】本考案は簡単な操作で、安全に、体力負担も少なく楽な体勢で氷の破砕が出来る効果を奏する。
【実施例】以下に本考案の実施例について説明する【０００６】使用方法は図１、端部３に取り付けた滑り止め材４を手で握り、先端部２を路面に接地、氷割りピン１先端部を対象氷結部に突き押し当て氷を破砕する。該を平坦な所で使用する場合は軸心に対し先端部分２を約４５度、棒の端部３を前記先端が屈曲する軸心内側約９０度に屈曲させ、傾斜地で使用する場合や、使用者の身体に合せて、軸心に対し先端部２を約３０度から６０度に屈曲させ棒の端部３を前記先端部２が屈曲する軸心内側約７５度から１０５度に折り曲げる。【０００７】棒は鉄又はステンレス、アルミニュームの丸パイプ等を使用する事が望ましく、氷割りピン１は鉄、ステンレス等を使用する事が望ましい。
図２の５と６の結合手段はネジ結合であるが、他に袋ナット結合又は、ピン結合又は、バネによる結合手段等が望ましい。
滑り止め材は棒の端部３の一部又は全体にゴム又はプラスチックなどを覆い被せるか、又は巻きつけ、手で握る為、該使用時に衝撃吸収が可能な緩衝材が望ましい。
【図面の簡単な説明】
【０００８】
【図１】氷破砕用具斜視図
【図２】先端部、氷割りピン断面図
【図３】従来の用具斜視図
【符号の説明】
【０００９】  １    氷割りピン
２    先端部
３    端部
４    滑り止め材
５    氷割りピン結合部
６    氷割りピン結合部
３ａ  持ち手
３ｂ  破砕部
【図１】
0003104084.tif 000003
【図２】
0003104084.tif 000004
【図３】
0003104084.tif 000005
(57)【要約】【課題】スピードアップを図ると共に、走行中の騒音を低減することのできる鉄道車両を提供する。【解決手段】レールＲ上を走行する車輪４上に載置したところの箱形車体１の屋根１ａに、上面が前後方向にわたって流線形状を形成する翼体２を、前記屋根１ａの左右両側端部から立設した板状の支柱板３，３を介して取付け、翼体２のはたらきによって鉄道車両に大きな浮力ｆを与える。これにより、鉄道車両の重量を軽減してレール３との摩擦を減少させ、スピードアップを図り、騒音を低減して騒音公害を抑制する。【選択図】      図１
0003104089.tif 000002
【実用新案登録請求の範囲】
【請求項１】
レール（Ｒ）上を走行する車輪（４）上に載置したところの箱形車体（１）の屋根（１ａ）に、上面が前後方向にわたって流線形状を形成する翼体（２）を、前記屋根の左右両側端部から立設した板状の支柱板（３，３）を介して取付けてなる翼付き鉄道車両。
【考案の詳細な説明】
【技術分野】
【０００１】
本考案は、スピードアップを図ることができ、かつ、騒音を低減することのできる鉄道車両に関するものである。
【背景技術】
【０００２】
従来の鉄道車両は、ほぼ直方体形状をしていると共に大重量であるため、走行中は大きな空気抵抗受け、また、レールとの摩擦が大きい。この大きな空気抵抗とレールとの摩擦は、スピードアップの妨げになり、騒音発生の原因となっている。
【考案の開示】
【考案が解決しようとする課題】
【０００３】
本考案は上記した問題点に鑑み創案されたもので、スピードアップを図ると共に、走行中の騒音を低減することのできる鉄道車両を提供することを課題とする。
【課題を解決するための手段】
【０００４】
図１乃至図４を参照して説明する。本考案に係る翼付き鉄道車両は、レールＲ上を走行する車輪４上に載置したところの箱形車体１の屋根１ａに、上面が前後方向にわたって流線形状を形成する翼体２を、前記屋根１ａの左右両側端部から立設した板状の支柱板３，３を介して取付けてなるものである。
【考案の効果】
【０００５】
本考案に係る翼付き鉄道車両は、箱形車体１の屋根１ａに、少なくとも上面が前後方向に流線形状を形成する翼体２を、前記屋根１ａの左右両側端部から立設した板状の支柱板３，３を介して取付けたので、走行中においては、翼体２のはたらきによって鉄道車両に大きな浮力ｆを与えることができる。
【０００６】
これによって、鉄道車両の重量を軽減してレールＲとの摩擦を減少させることができるので、スピードアップを図ることができると共に、騒音を低減することができ、騒音公害を抑制することができる。
【考案を実施するための最良の形態】
【０００７】
本考案に係る翼付き鉄道車両の第一実施形態を、図１乃至図３に示す。この翼付き鉄道車両は、ほぼ直方体形状の車体１の屋根１ａに、上面が、前後方向に円弧状の流線形状を形成する翼体２を、屋根１ａの左右両側端部から立設した二つの板状の支柱板３を介して取付けて構成されている。
【０００８】
従って、走行中においては、翼体２のはたらきによって鉄道車両に大きな浮力ｆが作用して、鉄道車両の重量が軽減され、レールＲとの摩擦が減少する。その結果、鉄道車両１のスピードアップを図ることができると共に、騒音を低減することができる。
【０００９】
なお、本実施形態における翼体２は、前後対称に形成されており、よって、鉄道車両が前後いずれの方向に走行する場合でも、同様にその効果を発揮することができる。
【００１０】
また、本実施形態においては、翼体２および支柱板３を前後に二組設けているが、本考案はこれに限定されるものではなく、一組または三組以上設けることもできる。
【００１１】
本考案に係る翼付き鉄道車両の第二実施形態を、図４に示す。この特徴は、翼体２上面の流線形状を、前部を肉厚として前後非対称とし、前方向のみに走行する鉄道車両１に取付けるようにしている。この構造は、同一方向のみに連続的に走行する環状線の鉄道車両１に取付けることができる。
【００１２】
この翼付き鉄道車両においても、走行中は翼体２のはたらきによって鉄道車両に浮力を与えて重量を軽減すると共に、レールＲとの摩擦を小さくすることができる。従って、鉄道車両のスピードアップと騒音の低減を図ることができる。
【００１３】
なお、上記二つの実施形態においては、翼体２の上面のみを流線形状に設定しているが、本考案はこれに限定されるものではなく、その下面も必要に応じて流線形状とすることができる。
【図面の簡単な説明】
【００１４】
【図１】本考案に係る翼付き鉄道車両の第一実施形態を示す側面図である。
【図２】図１に示す翼付き鉄道車両の平面図である。
【図３】図１に示す翼付き鉄道車両の正面図である。
【図４】本考案に係る翼付き鉄道車両の第二実施形態を示す側面図である。
【符号の説明】
【００１５】
１      車体
１ａ    屋根
２      翼体
３      支柱板
４      車輪
Ｒ      レール
ｆ      浮力
【図１】
0003104089.tif 000003
【図２】
0003104089.tif 000004
【図３】
0003104089.tif 000005
【図４】
0003104089.tif 000006
(57)【要約】【課題】本考案は風圧を受けても帽子が容易に飛ばされることを防止する着脱自在の帽子保持具の提供。【解決手段】一部が分離された環状形の弾性体をベース部材にして、その内側に滑りにくく、かつクッション性を有する部材を設け、外側にはファッション性のある装飾を施し、それらの両端部には収縮性を有するベルトで連結されたものを帽子のクラウン部の外周に取り付けることで風に飛ばされることを防ぐ着脱自在の帽子保持具。【選択図】図１
0003104081.tif 000002
【実用新案登録請求の範囲】
【請求項１】
一部が分離された環状形の弾性体をベース部材にして、その内側に滑りにくく、かつクッション性を有する部材を設け、外側には装飾を施し、それらの両端部には収縮性を有するベルトで連結されたものを帽子のクラウン部の外周に取り付けることで風に飛ばされることを防ぐ帽子の保持具。
【考案の詳細な説明】
【考案の詳細な説明】
【技術分野】
【０００１】  本考案は風圧を受けも帽子が安易に飛んでいかないための保持具であると同時に装飾具にもなるものである。
より詳細に説明すると例えば自転車に乗っている時や風が強く吹く時、または少々大きめのサイズの帽子をかぶっている時でも安易に帽子が飛んでいかないための着脱自在の帽子保持具。
【背景技術】
【０００２】  従来から突然の風を受けた時などに帽子が飛んでしまうことを防ぐ対策として帽子に取り付けられた紐やゴムを顎の部分に掛ける方法や別部材として紐やチェーン等の両端部にクリップを取り付け、帽子と衣類の襟部に連結させる方法がある。
【考案の開示】
【考案が解決しようとする課題】
【０００３】  風で帽子が飛ばされないための方法として前記のように帽子自体に取り付けられたゴムや紐で顎に掛ける方法では装着後に顔の頬と顎の部分にゴムの跡が残るので体裁が悪く利用者への配慮に欠如して実用的ではなかった。【０００４】  さらに、紐やチェーン等の両端部にクリップが接続されて帽子のつばと衣類の襟部分を連結することで帽子が飛んでしまうことを防ぐものもあるがソフトな繊維素材に対してクリップはプラスチック等のハード素材なので外観的に違和感がありファッション性を損ねていた。【０００５】  さらに最近では自転車の普及が急速に進み、誰でも気軽にお買い物や通勤、レジャー等で利用されているが帽子を被って自転車に乗ると走行時の風圧で帽子が飛ばされそうになった際にあわてて手で押さえようと片手ハンドルになりバランスが崩れ大きな事故につながる恐れがある。【０００６】  帽子は直射日光から紫外線を防ぐための日よけ効果もあるために野外のレジャーとして釣りやゴルフなどでは必需品だが海、川や山などでは風が強く吹くことが多く、帽子が飛ばされることが多い。【０００７】  また、サイズ調整のアジャスタ機能が付いていないハットタイプの帽子の場合はサイズが少し大きめだとちょっとした風でも飛ばされるので外出時には不向きであった。
そこで本考案はこれらの欠点を補うために考案されたものである。
【課題を解決するための手段】
【０００８】  本考案は上記課題を解消するために開発されたもので、一部が分離された環状形の合成樹脂を素材とした弾性体をベース部材にして、その内側に滑りにくく、かつクッション性を有するウレタンスポンジ等の部材を設け、かつ外側には装飾性の高い柄や素材を張り合わせ又は印刷することでファッション性を表現する。【０００９】  ベース部材の分離された両端部にはゴム等の収縮性を有するベルトで連結されたものを帽子のクラウン部の外周に取り付けることでファッション性を備えかつ、風に飛ばされることを防ぐ帽子の保持具である。
【考案の効果】
【０００１０】  帽子を着用後に本考案品のベース部分を両手で開いてクラウン部分の根元に装着することでベース部材の弾性によってクラウン部分の上から頭部の周囲に適度な外圧が加わることで帽子がしっかり押さえられた状態となり風圧による帽子の脱帽を防ぐことができる。【００１１】  ベース部材の内側に貼り付けたウレタンスポンチは摩擦係数が高いので装着後、帽子の表面と馴染んでずれにくく、さらに程良いクッション性が柔軟に対応してフィット感をより向上させる。【００１２】  ベース部材の両端部は伸縮性のベルトにて連結されているため帽子や頭のサイズに関係なく適度なフィット感とより確実な保持力が保てる。【００１３】  ベース部材の外観は帽子の装飾としてマッチングするようなデザインや素材を活かしたリボンやテープを貼り合せた又は印刷する。【００１４】  製造コストは比較的安価に製造できるのでベース部材の表面に企業名やマークを印刷すれば目に立つスペースなので宣伝効果も高くノベルティ商品としてもとしても利用価値が高いので活用できる。
【考案を実施するための最良の形態】
【００１５】  一部が分離された合成樹脂等を素材とした環状形の弾性体をベース部材に用いてその内側の面にはウレタンスポンジ等の滑りにくく、かつクッション性を有する部材を貼り付け、外側の面にはデザインテープやリボンなど装飾性の高い素材を貼りつけ、それらの両端部には接続部材を用いて収縮性を有するベルトで連結する。
【実施例１】
【００１６】  以下、本考案を実施例でによって詳述する。
本体の構成は図１に示すようにベース部材１となるものは英文字のＣのような形状で先端部が分離された環状形に成型され、素材は適度な耐久性と弾性のある合成樹脂等の素材を用いて幅は１〜２ｃｍ前後が好ましい。【００１７】  ベース部材１の内側面には摩擦係数が高く、適度なクッション性のあるウレタンスポンジ部材２を貼り合わせることで帽子６のクラウン部７の根元に装着した際、摩擦係数の高いウレタン素材がズレを防ぐとともに程よいフィット感を生む。【００１８】  ベース部材１の外側面にはファッション性の優れた素材やデザインテープ、リボン等の装飾部材３を貼りつけ又は任意のデザインや文字、キャラクター等を直接印刷や転写することも可能なので帽子のアクセサリーとしての効果も高まる。【００１９】  ベース部材１の両端の接続部５はベース部材１とほぼ同じ幅の伸縮性を有する伸縮ベルト４が連結されていることにより帽子や頭のサイズに関係なくクラウン全体を包みこむため帽子の保持力も向上し、脱着も簡便に行なえる。
【図面の簡単な説明】
【００２０】
【図１】本考案品本体の斜視図
【図２】Ａ−Ａ’の断面図
【図３】本考案品を装着している状態の図
【符号の説明】
【００２１】
【１】ベース部材
【２】スポンジ部材
【３】装飾部材
【４】伸縮ゴム
【５】接続部
【６】帽子本体
【７】クラウン部
【図１】
0003104081.tif 000003
【図２】
0003104081.tif 000004
【図３】
0003104081.tif 000005
(57)【要約】［課題］簡単にサウナを楽しむため、自宅にある風呂を利用して健康づくりとガス代の節約を行うため、本品を提供するものである。［解決手段］  スポンジマットを使用し両面にアルミコーティングをすることにより湯温の低下を防ぐ。  首の部分に切り込み部分を入れることによりサウナ効果を高める。  切り込み部分を元にはめ込み風呂の蓋として使用しガス代他燃費の節約を図る［選択図］図１【実用新案登録請求の範囲】
【請求項１】
スポンジマットに両面アルミコーティングすることにより、湯温の低下を抑制しうる。
【請求項２】
首の部分に切込みを入れることによりサウナ効果を高める。
【請求項３】
首の部分の切込みを元にはめ込むことにより風呂の蓋として使用しガス代等燃費の節約し得る。
【考案の詳細な説明】
【技術分野】
【０００１】本考案品は手軽に家庭でサウナを楽しむためのお風呂用品である。
［背景の技術］【０００２】［考案が解決しようとする課題］【０００３】発汗作用を促し体内の浄化。
［課題を解決するための手段］【０００４】スポンジマットを使用し両面にアルミをコーティングすることにより湯温の低下を防ぐ。
首の部分に切り込みを入れることによりサウナ効果を高める。
［考案の効果］【０００５】本格サウナというと１回の使用料金も高く、交通費等もかかる。
本品は家庭で安価で手軽に利用できる。
発汗作用により老廃物を体外に出すことができる。
［考案を実施するための最良の形態］【０００６】イ、スポンジマットを使用し両面にアルミコーティングをすることにより湯温の低下を防ぎ、使用が安易にできる。
ロ、首の部分の切込みにより外気との接点が少なく、発汗が促される。
ハ、発汗作用により体内の浄化を促す。
ニ、サウナとして使用しない時は、くりぬいた部分をはめ込む事によって風呂の蓋としても使用でき、保温効果がありガス代他燃費の節約となる。
【図面の簡単な説明】
【０００７】
【図１】本考案の実施例の斜視図
【図２】本考案の実施例のやや正面からの斜視図
【符号の説明】
【０００８】１は、スポンジ。
２は、アルミコーティング。
３は、紐。
【図１】
0003104083.tif 000002
【図２】
0003104083.tif 000003
【手続補正書】
【提出日】平成16年4月21日(2004.4.21)
【手続補正１】
【補正対象書類名】実用新案登録請求の範囲
【補正対象項目名】全文
【補正方法】変更
【補正の内容】
【実用新案登録請求の範囲】
【請求項１】
両面をアルミコーティングされたことを特徴とするスポンジマット。
【請求項２】
請求項１記載のスポンジマットにおいて、首の部分に切り込みを入れたことを特徴とするスポンジマット。
【請求項３】
請求項２記載のスポンジマットにおいて、前記切り込みに嵌合するくりぬいた部分を備えたこと特徴とするスポンジマット。
(57)【要約】【課題】  イカ釣用餌木のウェイトの調整を、餌木の外部から所定の適宜な位置に移動調整することにより、海水の流れの変化にすばやく対処でき、餌木がまるで活きている海老のような動きができるイカ釣用餌木を開発する。【解決手段】  餌木本体１の頭部付近から腹部にかけて、溝１ａを設け、該溝内に、適宜な長さを有した断面コ字状のスライド受け部３を設け、該受け部の上部面３ａには、一定間隔置きにストッパー穴４を複数個設け、両側面３ｂ，３ｂ′には、それぞれ案内用のスリット５ａ，５ｂを設け、前記ウェイト２前後２ヶ所に連通穴２ａ，２ａ′をそれぞれ穿設し、これら各連結穴にはガイドロッド７，７′を差し込み、これらロッドの両端が突出し、前記、両スリットに係合し、ウェイトの上部には盲穴８を設け、先端のボール９を盲穴内のスプリング１０で付勢し、ボールが、任意のストッパー穴６に係合することにより、ウェイトを任意の位置で一時固定する。【選択図】        図２
0003104036.tif 000002
【実用新案登録請求の範囲】
【請求項１】
イカ釣用餌木において、餌木本体（１）の頭部付近から腹部にかけて、溝（１ａ）を設け、該溝（１ａ）内に、適宜な長さを有した断面コ字状のスライド受け部（３）を設け、該スライド受け部の上部面（３ａ）には、一定間隔置きにストッパー穴（４）を複数個設け、両側面（３ｂ）（３ｂ′）には、それぞれ案内用のスリット（５ａ）（５ｂ）を設け、前記ウェイト（２）前後２ヶ所に連通穴（２ａ）（２ａ′）をそれぞれ穿設し、これら各連結穴にはガイドロッド（６）（７）を差し込み、これらロッドの両端が突出し、前記、スリット（５ａ）（５ｂ）に係合し、ウェイト（２）の上部には盲穴（８）を設け、先端にボール（９）を設け、該ボールを盲穴（８）内にスプリング（１０）で付勢し、ボール（９）が、任意のストッパー穴（６）に係合することにより、ウェイト（２）を任意の位置で一時固定することを特徴とするイカ釣用餌木。
【考案の詳細な説明】
【技術分野】
【０００１】
この考案は、イカ釣用餌木に関するものである。
【背景技術】
【０００２】
従来、イカ釣用餌木は、その種類が数多く存在しており、海老の形態に模した本体の前部にはテグスとの連結部を設け、後部に掛け針を設けると共に、本体前方の下面側に落下を促すためのウェイトを設けたものがある。
【０００３】
しかし、餌木は、テグスの引き具合や海水の流れ等により餌木の動きが変化するものであるが、これらの餌木のウェイトの位置は固定されており、しかも、ウェイトを重さの異なるものとセットするものは存在する。
【特許文献１】特開２００２−２２３６６９号公報
【０００４】
また、餌木の内部に空洞を形成し、この空洞内に円柱状のウェイトや球状体のウェイトが摺動自在、あるいは、転動自在に形成したものは存在するが、自らウェイトの位置を調整することは不可能であった。
【特許文献２】実開平３−５０８６２号公報
【特許文献３】登録第３０８４５７７号公報
【考案の開示】
【考案が解決しようとする課題】
【０００５】
そこで、この考案は、イカ釣用餌木のウェイトの調整を、餌木の外部から所定の適宜な位置に移動調整することにより、海水の流れの変化にすばやく対処でき、餌木がまるで活きている海老のような動きができるイカ釣用餌木を開発・提供することにある。
【課題を解決するための手段】
【０００６】
この考案は、イカ釣用餌木において、餌木本体（１）の頭部付近から腹部にかけて、外部に突出するウェイト（２）の位置を、前後方向に移動可能に操作可能に設けたことを特徴とするイカ釣用餌木である。
【考案の効果】
【０００７】
本考案によると、イカ釣用餌木の餌木本体（１）に装着したウェイト（２）が、外部より、移動操作が可能に設けられているため、ウェイト（２）の位置を変更することにより、餌木本体（１）を、釣り人の好みの動きにあったウェイトの重量調整ができる。
【０００８】
また、ウェイト（２）は、餌木本体（１）の頭部付近から腹部にかけて、外部に突出するウェイト（２）を、前後方向に移動可能に設けているため、移動操作が極めて簡単であり、しかも、迅速に行うことができる。
【０００９】
さらに、ウェイト（２）は、２ヶ所に連通穴（２ａ）（２ａ′）をそれぞれ穿設し、これら各連結穴にはガイドロッド（６）（７）を差し込み、これらロッドの両端が突出し、前記、スリット（５ａ）（５ｂ）に係合し、ウェイト（２）の上部には盲穴（８）を設け、先端にボール（９）を設け、該ボールを盲穴（８）内にスプリング（１０）で付勢し、ボール（９）が、任意のストッパー穴（４）に係合することにより、ウェイト（２）を、スムーズに、任意の位置で一時固定することが可能である等極めて有益な効果を奏するものである。
【考案を実施するための最良の形態】
【００１０】
この考案は、イカ釣用餌木において、餌木本体（１）の頭部付近から腹部にかけて、外部に突出するウェイト（２）の位置を、前後方向に移動可能に、かつ、適宜な位置で一時固定可能に設けたことを特徴とするイカ釣用餌木から構成される。
【実施例】
【００１１】
次に、この考案の一実施例を図面に従って詳述すると、イカ釣用餌木において、餌木本体（１）の頭部付近から腹部にかけて、溝（１ａ）を設け、該溝（１ａ）内に、適宜な長さを有した断面コ字状のスライド受け部（３）を設け、該スライド受け部の上部面（３ａ）には、一定間隔置きにストッパー穴（４）を複数個設け、両側面（３ｂ）（３ｂ′）には、それぞれ案内用のスリット（５ａ）（５ｂ）を設け、前記ウェイト（２）前後２ヶ所に連通穴（２ａ）（２ａ′）をそれぞれ穿設し、これら各連結穴にはガイドロッド（６）（７）を差し込み、これらロッドの両端が突出し、前記、スリット（５ａ）（５ｂ）に係合し、ウェイト（２）の上部には盲穴（８）を設け、先端にボール（９）を設け、該ボールを盲穴（８）内にスプリング（１０）で付勢し、ボール（９）が、任意のストッパー穴（４）に係合することにより、ウェイト（２）を任意の位置で一時固定することを特徴とするイカ釣用餌木から構成されるものである。
【００１２】
尚、前記ストッパー穴（４）は、６〜７個が望ましいが、これより少なくても、多くても問題はないものである。
【産業上の利用可能性】
【００１３】
この考案は、イカ釣用餌木の製造技術を確立し、かつこれら材料の使用により、漁業や趣味としての釣り業界等に寄与する点で、産業上の利用可能性を有する。
【図面の簡単な説明】
【００１４】
【図１】この考案の一実施例を示す斜視図である。
【図２】この考案の一実施例を示す一部欠截横断面図である。
【図３】この考案の一実施例を示す一部欠截縦側面図である。
【符号の説明】
【００１５】
１  餌木本体
２  ウェイト
２ａ  連通穴
２ａ′連通穴
３  スライド受け部
３ａ  上部面
３ｂ  側面
３ｂ′側面
４  ストッパー穴
５ａ  スリット
５ｂ  スリット
６  ガイドロッド
７  ガイドロッド
８  盲穴
９  ボール
１０  スプリング
【図１】
0003104036.tif 000003
【図２】
0003104036.tif 000004
【図３】
0003104036.tif 000005
(57)【要約】【課題】  洗濯竿専用の、ワンタッチで簡単に、洗濯物を止めることの出来るクリップに関するものである。【解決手段】本体▲１▼の馬蹄型をした左右のバネの力を応用し洗濯竿に洗濯物をガッチリ、キャッチする事を特徴とする。【選択図】  図１
0003104032.tif 000002
【実用新案登録請求の範囲】
【請求項１】
図示の如く弾力性のあるリング状の１方が開いた▲１▼と▲２▼の取っ手が１体となっている洗濯竿用クリップ
【考案の詳細な説明】
【考案の詳細な説明】
洗濯竿に洗濯物を干すとき、風などで飛ばされて、落ちてしまうので、洗濯挟みで止めておかなくてはならない。
従来の洗濯挟みは、竿に止めるのではなく、衣類同士を袋状に挟んで、止めるので、竿を芯に横滑りしたり、ぐるぐる回って絡み合ったり、１カ所に、重なり合ったりしてしまう。又タオル等小物を干すには、数多くの洗濯挟みが、必要となるので、嵩張って大変である。竿共くわく大きなタイプもあるが、尚更嵩張ってしまう。プラスチック製の洗濯挟みは、天候により、劣化し壊れ、又埃が付いて、洗濯物を汚したり、衣類に、洗濯挟みの跡が付いたりもする。
そこで本案の洗濯竿専用のクリップを使用すると、竿にリングの弾力でガッチリ止めるので、横滑りや、ぐるぐる回りもなく、嵩張りや、劣化の心配もない。洗濯物を干す時、竿の手前と、向こう側の衣類の耳を、揃えて、１方の手で、押さえて挟んだりの面倒もなく、片手で竿の上の方よりワンタッチでＯＫである。更に、洗濯挟み用のスペースとして洗濯物同士離して干す必要もなくなり、より多くの衣類を干す事が出来る。
干した時洗濯挟みを、使用した時と違い美観上すっきりするし、物干架台の竿受けのフックに、取っ手の部分を通して吊しておくと、洗濯挟みの時と違ってコンパクトに、収納する事が出来る。
【図面の簡単な説明】
【図１】  本考案の正面図である。
【符号の説明】
▲１▼洗濯クリップのキャッチ部
▲２▼取っ手
▲３▼洗濯竿の断面
【図１】
0003104032.tif 000003
(57)【要約】      （修正有）【課題】名刺カード、フォトカード、家庭用プリンター、及びプリペードカード等の各プリントに使用するプリント用紙を特別な縦長の寸法として、プリント面を１０面にして使用するものである。【解決手段】プリント用紙本体１をシート台紙の表面に離型層とその表面のプリント剥離面を有する剥離紙より構成し、該プリント用紙本体は、外周に縁取囲枠６を設けると共に、表面内部に横縁取枠７と縦縁取枠８を介して横列した方形状のプリント剥離面５の外周に切離線を設けたプリント面を形成し、核プリント面は相対するプリント面を５段に配設して１０面を構成したものである。【選択図】図１
0003104031.tif 000002
【実用新案登録請求の範囲】
【請求項１】
プリント用紙本体（１）は、シート台紙（２）の表面の離型層（３）と、その表面のプリント剥離面（５）を設ける剥離紙（４）とより構成され、該プリント用紙本体（１）は、Ａ４用紙より縦方向の寸法を少なくとも３ｃｍ以上長く形成し、且つ該プリント用紙本体（１）には、外周縁取囲枠（６）を形成すると共に、表面内部に横縁取枠（７）（７）と縦縁取枠（８）（８）とを形成し、該横縁取枠（７）（７）と該縦縁取枠（８）（８）を介して横列した相対する方形状の該プリント剥離面（５）（５）を形成し、該プリント剥離面（５）（５）には、外周に切離線（１０）（１０）を設けたプリント面（Ａ）（Ａ）、プリント面（Ｂ）（Ｂ）、プリント面（Ｃ）（Ｃ）、プリント面（Ｄ）（Ｄ）及びプリント面（Ｅ）（Ｅ）との５段よりなる１０面のプリント面を構成したことを特徴としたプリント用紙。
【考案の詳細な説明】
【技術分野】
【０００１】  本考案は、名刺カード、フォトカード、家庭用プリンター、プリペードカード等の各プリントに使用する１０面のプリント剥離面を有する特別の用紙寸法としたプリント用紙に関するものである。
【背景技術】
【０００２】  従来この種のプリント用紙として使用されているものでは、Ａ４用紙の普通の寸法の用紙を使用のため、例えば規定枚数の１０枚の名刺をプリントする場合には、縁取りすると１０枚の名刺をプリントできず、８枚のプリントしかできないものである。また、用紙のプリント面の外周囲枠に切断用の切離線が設けていないため、各プリントの作成時に外周縁が綺麗に仕上がらないものが一般的である。
【考案の開示】
【考案が解決しよとうする課題】
【０００３】  従来の技術で述べたもののうち前者においては、名刺の外周に縁取りして美麗に仕上げるには、８枚のプリントしか作成できない欠点がある。また、後者で述べているプリント用紙の外周及び各プリントの囲枠の外周に切離線が直接隣接しているので、剥離した時の１枚のプリント外周の仕上がり状態の外周観が損ねる欠点がある。
本考案は、上記従来の欠点を解決したものであり、その主たる目的とする所は、普通に使用されているＡ４用紙の縦方向の寸法を３ｃｍ以上長く形成したプリント用紙を作成し、且つ外周縁と内部の１枚のプリント面の縦横に各々規定の縁取枠を設けて綺麗に仕上げる、例えば名刺等の１０枚のプリント面を作成したプリント用紙を提供するものである。
【課題を解決するための手段】
【０００４】  上記目的を達成するために、本考案におけるプリント用紙によれば、シート台紙の表面に離型層とプリント剥離面を設けた剥離紙とよりプリント用紙本体を形成する。また、普通に使用されているＡ４用紙より縦方向の寸法を３ｃｍ以上長くした用紙を作成し、外周の縁取囲枠を設けると共に、内面に縦横の縁取枠を形成し、その縦横の縁取枠を介して方形状の切離線を設けた相対する横列のプリント剥離面を上部より５段設けて１０面のプリント剥離面を構成したものである。
【考案の効果】
【０００５】  以上説明したように本考案のプリント用紙によれば、従来の一般に使用されている大きさのＡ４用紙のものと比較し、名刺、メッセージカード、プリペードカード等に使用した場合、プリント用紙及び各プリント剥離面の外周全体に縁取枠を形成してあるので、剥離が容易で美しく仕上がり、且つ各縁取枠には、各々文字、図柄等を記載できる便利な効果がある。そして、用紙本体の寸法を従来のＡ４用紙より縦方向に少なくとも３ｃｍ以上長くしたことにより、外周及び内部の縁取枠も充分に取れ、且つ区切の良好な１０枚のプリント面が綺麗に表現できる効果と、外周全体と内面の縦横に縁取枠を設けたことによって、配置が体裁よく仕上がり、保在等も大変便利な効果もある。
【考案を実施するための最良の形態】
【０００６】  本考案のプリント用紙によれば、一般に使用されている各種のプリンターにも自由に挿入して使用でき、プリントされた１０組の同様なプリント面が容易綺麗にプリントされ、各々のプリント面を縁取枠内の切離線（１０）（１０）によって一枚づつシート台紙の離型層より剥離して用いるものである。
【実施例１】
【０００７】  次に、本考案の実施例を図面の符号に基づいて説明すると、図１に示す如く、プリント用紙本体（１）は、比較的肉厚のシート台紙（２）の表面に例えばシリコン等の油性よりなる離型層（３）を塗布して形成し、該離型層（３）には、表面全体にプリント剥離面（５）を設ける剥離紙（４）を重合してある。
該プリント用紙本体（１）は、普通に使用されているＡ４用紙より縦方向のみに寸法を少なくとも３ｃｍ以上長い寸法として形成されている。更に、該プリント用紙本体（１）には、該剥離紙（４）の表面より上下、左右の外周に外周縁取囲枠（６）（６）を形成してある。
また、該プリント用紙本体（１）には、該外周縁取囲枠（６）（６）内の表面の該剥離紙（４）に横縁取枠（７）（７）と縦縁取枠（８）（８）を形成して該プリント剥離面（５）（５）…を形成するものである。
更に、該剥離紙（４）の表面に設けた横列した方形状の該プリント剥離面（５）（５）には、剥離が容易な外周に各々切離線（１０）（１０）を設けてある。
また、該プリント剥離面（５）（５）は、上部より横列したプリント面（Ａ）（Ａ）と、下方にプリント面（Ｂ）（Ｂ）、プリント面（Ｃ）（Ｃ）、プリント面（Ｄ）（Ｄ）及びプリント面（Ｅ）（Ｅ）との５段に形成し、該プリント剥離面（５）（５）の１０面を形成した構成となっている。
【図面の簡単な説明】
【０００８】
【図１】  本考案のプリント用紙本体の全体の平面図である。
【図２】  同じく本考案の図１の０−０線の縦面側面図である。
【符号の説明】
【０００９】    １          プリント用紙本体
２          シート台紙
３          離型層
４          剥離紙
５          プリント剥離面
６          外周縁取囲枠
７          横縁取枠
８          縦縁取枠
１０        切離線
Ａ、Ｂ、Ｃ  プリント面
Ｄ、Ｅ      プリント面
【図１】
0003104031.tif 000003
【図２】
0003104031.tif 000004
(57)【要約】【課題】本考案は、テーブル本体を軽量かつ耐久性のある木材で、なおかつネジ、釘、木工用ボンドなどの接続用品を用いず、組み立てるのには差し込み溝と十字に組んだ板を利用し労力や時間の無駄を短縮する。【解決手段】本考案は、テーブルの天板２の裏面に十字形の差し込み溝５を設け脚部３と４を十字に組み合わせ、さらにその３と４の組んだものを差し込み溝５に差し込めば完成し、労力や時間の無駄を短縮することができる。【選択図】  図３
0003104078.tif 000002
【実用新案登録請求の範囲】
【請求項１】
木製の円盤型の天板の裏面に十字形の差し込み溝を設け、その部分に板を十字に組み合わせたものを差し込むことにより、ネジ、釘、木工用ボンドをいっさい使用せずに簡単に組み立てられるところを特徴とする木製組立式テーブル
【考案の詳細な説明】
【技術分野】
【０００１】  本考案は、木製の円盤型の天板の十字形の差し込み溝に、十字に組んだ板を差し込めば完成するテーブルに関するものである。
【背景技術】
【０００２】  従来、テーブルを組み立てる場合には、接続の部分にネジ、釘、木工用ボンドなどを使用していた。
【考案の開示】
【考案が解決しようとする課題】
【０００３】  ネジ、釘、木工用ボンドなどの接続用品を使用する場合、ネジ、釘の場合だと接続するのにかなりの労力が必要であり、木工用ボンドでは接続が完了するまでにかなりの時間がかかるという欠点がある。従って、この様な接続用品をいっさい使用せずに組み立てる事が出来る事により、前述の欠点を解決しようとするものである。
【課題を解決するための手段】
【０００４】  本考案は、テーブルの天板になる部分には整形した円盤型の板を使用し、さらに、その裏面には十字形の差し込み溝を設ける。そしてテーブルの脚の部分には整形した２枚の板を使用し、その板を十字に組み合わせる。そしてその組み合わせたものを前述の円盤型の天板の裏面に差し込むだけにより組み立てを完成し労力と時間の問題を解決している。
【考案の効果】
【０００５】  上述の様に、本考案の木製組立式テーブルは組み立てるのに労力と時間を短縮することは勿論、簡単に解体する事が出来るので、持ち運ぶにも、収納するにも手間取ることはない。
【考案の実施するための最良の形態】
【０００６】  テーブル本体に使用する板の材質は、組み立てる課程で労力の負担にならないように軽量の木材を使用し、誰でもが容易に作業出来るようにする。そして、解体したときに収納しやすい程度に木材の厚さも考慮したものを使用する。さらに、耐久性のある木材を使用しテーブル本体の強度を確保する。
【実施例】
【０００７】  以下、添付図面に従って実施例を説明する。１は耐久性の軽量木材にて一体化されたテーブル本体、２はテーブルの天板、３と４はテーブルの脚部になり５は差し込み溝、３と４を十字に組み５に差し込むことにより木製組立式テーブルが完成する。
【産業上の利用可能性】
【０００８】  木製組立式テーブルは、組み立てる作業が従来のものよりもかなり短縮されるので、たとえば、設置作業の迅速性が要求される仕事場、ショウルーム、待合室、オープンテラス等への設置が容易になり、また、解体の作業も短縮されるので、この様な場所での利用が適している。
【図面の簡単な説明】
【０００９】
【図１】本考案の木製組立式テーブルの完成を示す全体図である。
【図２】本テーブルの天板の裏面図である。
【図３】本テーブルの脚部の解体図である。
【図４】本テーブルの脚部の真横から見た図である。
【符号の説明】
【００１０】  １  テーブルの本体
２  テーブルの天板
３  脚部
４  脚部
５  差し込み溝
【図１】
0003104078.tif 000003
【図２】
0003104078.tif 000004
【図３】
0003104078.tif 000005
【図４】
0003104078.tif 000006
(57)【要約】      （修正有）【課題】今までは、魚体の頭部を前にして、にげる様を竿で操作していたが、よりエビの形態にして今まで無かった、エビが後ろ向きに逃げる様をシャクリ表現したエビ型しゃくりえぎを提供する。【解決手段】体長、９ｃｍ、ハリ２ｃｍ、全長１１ｃｍと小型にし背模様に赤、緑、青の反射シールや、ホログラムシールを張り、シリコンラバーをヒゲに見たて尾の下側に鳥毛を付け、小型にして、よりエビの形態に近い物とし各色の反射シールやヒゲ、鳥毛、眼を飛び出させ夜の海中でも目立つように仕上げた。【選択図】図１
0003104072.tif 000002
【実用新案登録請求の範囲】
【請求項１】
エビが危険を感じたら、尾びれを先にバックして逃げる様をシャクリで表す。
【考案の詳細な説明】
【考案の詳細な説明】
【背景技術】
【０００１】エビなのか、小魚なのか、あいまいな形態に疑問を感じていた。
【考案が解決しようとする課題】
【０００２】海底近くを、エビが跳ねながら逃げる様子を再現したい。
魚体がバックして逃げる物が無かった。
【課題を解決する為の手段】
【０００３】体長、９ｃｍ、ハリ２ｃｍ、全長１１ｃｍと小型にし背模様に赤、緑、青の反射シールや、ホログラムシールを張り、シリコンラバーをヒゲに見たて尾の下側に鳥毛を付け、エビの形態に似せた。
【考案の効果】
【０００４】イカは小魚より、エビのような物を多く捕食しているので、効果あり。
【図面の簡単な説明】
【図１】    横から見た図。
【図２】    背側から見た図
【符号の説明】
１      突き出た眼球。
２      背模様、反射シール、ホログラムシール。
３      胴体各色布シール。
４      各色、鳥毛。
５      バランス、おもり
６      シリコンラバー、ひげ
７      かけ針
８      道糸つなぎヒモフック
【図１】
0003104072.tif 000003
【図２】
0003104072.tif 000004
【手続補正書】
【提出日】平成16年4月3日(2004.4.3)
【手続補正１】
【補正対象書類名】実用新案登録請求の範囲
【補正対象項目名】全文
【補正方法】変更
【補正の内容】
【実用新案登録請求の範囲】
【請求項１】
エビの形態に似せるため、背模様に赤、緑、青の反射シールやホログラムシールを張り、シリコンラバーをヒゲに見たて尾の下側に鶏毛を付け、ヒゲのある頭部に掛針を取り付けたことを特徴とする、エビ型しゃくり専用えぎ。
(57)【要約】【課題】  従来の犬用リードやハーネス、首輪は鍵付きのものが無く、外に繋いでおく場合の盗難予防がなされていない。また、散歩途中で買物などをしたい場合にはリードを縛るなどして待機させておく場合が多く、その際の盗難予防策も必要である。【解決手段】  上記の課題を解決するために、リードの先端にダイヤル式の鍵１を付けた。さらにそれに対応するハーネス２、首輪３には両端に鍵を通す輪ＡＡ’を付けた。また、リード部分は防犯性を高め、且つ、犬を傷つけないよう、カバー付きワイヤー製とした。対応するハーネス２、首輪３は止め具ＢＢ’を用いて犬に装着するものとする。【選択図】  図６
0003104073.tif 000002
【実用新案登録請求の範囲】
【請求項１】
犬用鍵付きリード。
【請求項２】
犬用鍵付きリード対応ハーネス。
【請求項３】
犬用鍵付きリード対応首輪。
【考案の詳細な説明】
【考案の詳細な説明】
【考案が解決しようとする課題】
【０００１】  従来の犬用リードやハーネス、首輪は鍵付きのものが無く、外に繋いでおく場合の盗難予防がなされていない。また、散歩途中で買物などをしたい場合にはリードを縛るなどして待機させておく場合が多く、その際の盗難予防策も必要である。
【課題を解決するための手段】
【０００２】  上記の課題を解決するために、カバー付きワイヤー製のリードの先端にダイヤル式の鍵を付けた。さらにそれに対応するハーネス、首輪には両端に鍵を通す輪を付けた。
【考案の効果】
【０００３】  リード先端の鍵をハーネスや首輪の両端の輪に通すことにより、１つの鍵で繋ぐことができる。また、散歩途中に繋ぐ場合は持ち手部分を鍵に通すだけで繋ぐことが可能となる。
鍵はダイヤル式にすることにより紛失の可能性が無く、リードはカバー付きワイヤー製にすることにより防犯性が高くなっている。
【図面の簡単な説明】
【図１】犬用鍵付きリードの前面図である。
【図２】犬用鍵付きリード対応ハーネスの前面図である。
【図３】犬用鍵付きリード対応首輪の前面図である。
【図４】ハーネス装着通常時の横面図である。
【図５】ハーネス装着待機時の上面図である。
【図６】首輪装着待機時の拡大図である。
【符号の説明】
１    ダイヤル式鍵部分
２    カバー付きワイヤー部分
Ａ    輪
Ａ’  輪
Ｂ    止め具
Ｂ’  止め具
【図１】
0003104073.tif 000003
【図２】
0003104073.tif 000004
【図３】
0003104073.tif 000005
【図４】
0003104073.tif 000006
【図５】
0003104073.tif 000007
【図６】
0003104073.tif 000008
【手続補正書】
【提出日】平成16年4月23日(2004.4.23)
【手続補正１】
【補正対象書類名】実用新案登録請求の範囲
【補正対象項目名】全文
【補正方法】変更
【補正の内容】
【実用新案登録請求の範囲】
【請求項１】
犬用鍵付きリード。
【請求項２】
犬に装着し、両端に着いている２つの輪状の金具に犬用鍵付きリードの鍵を通して留めることにより、犬と鍵付きリードを繋ぐ形状のハーネス。
【請求項３】
犬に装着し、両端に着いている２つの輪状の金具に犬用鍵付きリードの鍵を通して留めることにより、犬と鍵付きリードを繋ぐ形状の首輪。
(57)【要約】      （修正有）【課題】従来の箱罠は、全体が金属製の檻で構成され、重量がありかさばるので、設置場所まで運搬することにかなりの労力が必要で、箱罠の形状が固定されており、斜面・窪地等に設置できないものである。【解決手段】箱罠１を、ワイヤーロープ等の交差部分を一文字締付金具５-Ａや十文字締付金具５-Ｂ等で固定し網状物にした動物捕獲用の網罠１であって、全体は網状物を箱状に構成するが、少なくとも動物の出入口部２を金属製開閉扉６とした動物捕獲網罠である。【選択図】図１
0003104071.tif 000002
【実用新案登録請求の範囲】
【請求項１】
箱罠を網状物にした動物捕獲用の網罠であって、全体は網状物を箱状に構成するが、少なくとも動物の出入口部を金属製開閉扉としたことを特徴とする動物捕獲網罠。
【請求項２】
請求項１記載の動物捕獲網罠において、前記網状物の交差部分を留める手段として、一文字締付金具及び／又は十文字締付金具を用いて固定したことを特徴とする動物捕獲網罠。
【請求項３】
請求項１記載の動物捕獲網罠において、前記網状物の交差部分を留める手段として、ボルト・ナットを用いて固定したことを特徴とする動物捕獲網罠。
【請求項４】
請求項１記載の動物捕獲網罠において、前記網状物の交差部分を留める手段として、溶接により固定したことを特徴とする動物捕獲網罠。
【考案の詳細な説明】
【技術分野】
【０００１】  この考案は、狩猟及び有害獣駆除等で動物を捕獲する箱罠の軽量化を図り、あらゆる場所に設置可能にした動物捕獲網罠に関する。
【背景技術】
【０００２】  従来の箱罠は、全体が金属製の檻で構成されている。（例えば、特許文献１参照）
【特許文献１】  特開２００３−１３４９８４号公報
【考案の開示】
【考案が解決しようとする課題】
【０００３】  従来の箱罠は全体が金属製の檻であるため、重量があり、かさばり、設置場所まで運搬することにかなりの労力が必要であり、又全体が金属製の檻であるため箱の形状が固定されており、斜面・窪地等には設置できなかった。【０００４】  本考案は、このような従来の構成が有していた問題を解決しようとするものであり、軽量化を図り、自在に形状を変えることができる動物捕獲網罠を実現することを目的とするものである。
【課題を解決するための手段】
【０００５】  箱罠を網状物にした動物捕獲用の網罠であって、全体は網状物を箱状に構成するが、少なくとも動物の出入口部に金属製開閉扉を設けたものである。【０００６】  上述の動物捕獲網罠において、網状物の交差部分を留める手段として、一文字締付金具及び／又は十文字締付金具を用いて固定しても良いし、ボルト・ナットや溶接によって固定したものでも良い。【０００７】  なお、網状物の交差部分は全てを締付金具で固定することが好ましいが、状況に応じ間隔を設けても良い。又、締付金具とボルト・ナットあるいは溶接による固定手段を組み合わせて固定することも可能である。
【考案の効果】
【０００８】  本考案の動物捕獲網罠は、ほぼ全体を網状物で構成して軽量にしたので、設置場所までの運搬が容易である。【０００９】  本考案の動物捕獲網罠は、網状物で構成しているため変形が容易となり、設置場所の形状に合わせ、どこにでも設置可能である。
【考案の実施するための最良の形態】
【００１０】  以下、本考案の実施の形態を図１〜図５に基づいて説明する。
【００１１】  図１〜図３においては、網罠１はワイヤーロープ等で製作された網状物９で全体が構成されて、網状物９の全ての交差部分４は図４や図５で示す一文字締付金具５−Ａや十文字締付金具５−Ｂで固定している。
なお、一文字締付金具５−Ａや十文字締付金具５−Ｂの取り付け状態は、図１において、その一部分のみを記載している。
【００１２】  網状物９は、網罠１の動物の出入口部２のスライド枠７にシャックル等３で取り付けている。
【００１３】  この例では、網状物９は、後部金属製檻１３にシャックル等３で取り付けている。
【００１４】  網罠１の前部に設ける金属製開閉扉６は網状物９には、シャックル等３を用いてスライド枠７に開閉可能に取り付けられる。
【００１５】  図２や図３では、動物の出入口部２から動物が中に進入し、チンチロ装置１０と打込み鉄杭１２を結んだリード線１１に触れるとチンチロ装置１０が作動して、金属製開閉扉６がスライド枠７を落下し、開き止め装置８の働きにより動物の脱出を阻止する。
【００１６】  この例では、網状物９を構成する素材を直径３ｍｍのアウトワイヤーロープを使った。捕獲目的の動物の大きさによって、アウトワイヤーロープの直径を大きくすると良い。
【００１７】  一文字締付金具５−Ａや十文字締付金具５−Ｂは、金属製のもので、網状物９の交差部分を締付金具５−Ａ・５−ＢのＵ字型の溝に入れて、左右から締付けて固定する。
【図面の簡単な説明】
【００１８】
【図１】  動物捕獲網罠の斜視図
【図２】  動物捕獲網罠の平面図
【図３】  動物捕獲網罠の側面図
【図４】  一文字締付金具の斜視図
【図５】  十文字締付金具の斜視図
【符号の説明】
【００１９】    １  網罠
２  動物の出入口部
３  シャックル等
４  交差部分
５−Ａ  一文字締付金具
５−Ｂ  十文字締付金具）
６  金属製開閉扉
７  スライド枠
８  開き止め装置
９  網状物
１０  チンチロ装置
１１  リード線
１２  打込み鉄杭
１３  後部金属製檻
【図１】
0003104071.tif 000003
【図２】
0003104071.tif 000004
【図３】
0003104071.tif 000005
【図４】
0003104071.tif 000006
【図５】
0003104071.tif 000007
(57)【要約】      （修正有）【課題】プラスチック製ケーブルトラフ用蓋が熱膨張による圧力で、ケーブルトラフ本体から外れることを防止し、連結部の隙間に異物の侵入を防止する構造をもつ、プラスチック製ケーブルトラフ用蓋を提供する。【解決手段】ケーブルトラフ用蓋は、蓋正面に蓋外れ止用突起１を設けて、蓋が熱膨張を起こした際に突起が、クッションの役割をして、熱膨張による圧力で蓋がケーブルトラフ本体から外れることを防止し、突起１によって生じる連結部の隙間に雨又は異物等の侵入を防止する異物侵入防止カバー２を設け、蓋本体３と異物侵入防止カバー２との段差をなくすために滑り止め４と異物侵入防止カバー２の高さを合わせた構造を一体成型した。【選択図】図１
0003104075.tif 000002
【実用新案登録請求の範囲】
【請求項１】
プラスチック及び廃棄プラスチックからなるケーブルトラフ用の蓋において、蓋本体が、熱膨張を起こした際に蓋外れ止用突起を設ける事によりケーブルトラフ本体から、蓋本体が外れない構造にし、蓋外れ止用突起によって、蓋と蓋の連結部に生じる隙間に雨又は異物の進入を防ぐ為、蓋本体に一体化された雨及び異物進入を防止する隙間カバーをもつ構造、さらに蓋の上を歩行した際に防止カバーの段差で躓くことがないように滑り止めの突起物と防止カバーとの高さを合わせた構造の一体型ケーブルトラフ用蓋。
【考案の詳細な説明】
【技術分野】
【０００１】本考案は、通信及び電力等のケーブルを保護するために使用されるケーブルトラフの蓋に関するものである。
【背景技術】
【０００２】従来のプラスチック製の蓋は、熱膨張によって起こる伸縮に対して単純に連結部に隙間をあけるなどしている。また、あいた隙間を埋める場合には、コーキング剤などが利用される場合もある。
【考案の開示】
【考案が解決しようとする課題】
【０００３】１．プラスチック製の蓋は、施工後、直射日光等により、熱膨張によって蓋の寸法が大きくなり、その圧力で、蓋がケーブルトラフ本体から外れる現象が起きることがある。
２．施工時に熱膨張を考慮し、人為的に隙間をあけて施工することは、作業上容易ではない。
３．連結部に隙間をあけて施工した後、その隙間に砂、石等の異物、雨等が侵入する恐れがある。
【課題を解決するための手段】
【０００４】課題を解決する手段として、図２の（１）に示す様に蓋外れ止用突起を設ける。
この突起は、蓋本体と一体型で成型され、その形は三角形、半円形、半楕円形などが適当である。また、全長５００ｍｍの蓋を６０℃の室内に５時間放置したのち全長を計測した結果、蓋のサイズによって、ばらつきはあるが、いずれも５ｍｍ以上の伸縮はないので、結果６ｍｍ程度の隙間があれば、圧力によって、蓋が外れる事が無い。【０００５】上記の試験結果に基づき、蓋に６ｍｍの長さの突起（１）を設けて、長さ５００ｍｍのケーブトラフ本体に本考案の蓋を合わせ５０ｍ連結させ７ヶ月間放置したが、直射日光などによって、蓋が熱膨張を起こした際に、その突起物がクッションの役割をして圧力によって潰れるため、蓋が外れることはなかった。【０００６】連結した際に連結部に６ｍｍ程度の隙間が開きその隙間に雨、異物の侵入を防止するために、図７の実施形態に示す異物進入防止カバー（２）を設ける。（２）のカバーも後づけではなく、蓋本体と一体にて成型される物である。また、異物進入防止カバーは、（４）に示す滑り止めと高さを合わせることにより、歩行中に躓く心配がない。（４）の滑り止めは、どんな形でも良い。いずれも、一体成型される構造である。
【考案の効果】
【０００５】以上のように、本考案は、蓋外れ止用突起及び異物進入防止カバーを一体成型し両者を設けることにより、プラスチックの性質上起こる熱膨張の圧力で蓋がおされて外れることが無く、突起物によって生じる隙間に雨または異物の侵入を防止できる。
【考案を実施するための最良の形態】
【０００６】本考案の実施形態を図に基づいて説明する。図１に示すのは、本考案の蓋の斜視図である。この様に蓋本体に（１）の突起物と（２）の防止カバーさらに蓋本体と防止カバーに段差を無くすため、防止カバーの高さに合わせた（４）の滑り止めを持つ形態である。
【実施例】
【０００７】実施例として、図６に示すのは本考案の蓋を連結したものである。
【図面の簡単な説明】
【０００８】
【図１】本考案ケーブルトラフ用蓋の斜視図である。
【図２】本考案ケーブルトラフ用蓋の側面図である。
【図３】本考案ケーブルトラフ用蓋の上面図である。
【図４】本考案蓋外れ止用突起及び滑り止めを示す拡大図である。
【図５】本考案異物進入防止カバーを示す拡大図である。
【図６】本考案ケーブルトラフ用蓋の蓋をケーブルトラフ本体に合わせ、連結させた図である。
【図７】本考案ケーブルトラフ用蓋を連結した状態の斜視図である。
【符号の説明】
【０００９】    １蓋外れ止用突起
２異物進入防止カバー
３蓋本体
４滑り止め
５ケーブルトラフ本体
【図１】
0003104075.tif 000003
【図２】
0003104075.tif 000004
【図３】
0003104075.tif 000005
【図４】
0003104075.tif 000006
【図５】
0003104075.tif 000007
【図６】
0003104075.tif 000008
【図７】
0003104075.tif 000009